(57)【要約】【課題】吹出口の両端部から吐出される空気をコーナー部に案内しやすい天井埋込型室内ユニットを提供することを目的とする。【解決手段】熱交換器３０及び送風機２０を収容した室内ユニット本体１４と、前記室内ユニット本体１４と組み合わされ天井１１に設置されて吹出口３７を有する化粧パネル３３とを備えた天井埋込型室内ユニット１０において、前記化粧パネル３３は、調温後の空気を被調和室に送る吹出口３７と、前記吹出口３７に設けられるフラップ６０と、前記吹出口３７の短辺に隣接して設けられるコーナー部４２と、を備え、前記コーナー部４２は、外面４２Ａに溝部１００、１１０を備え、前記溝部１００、１１０は、前記吹出口３７と連続して設けた。【選択図】図８
2017067387.tif 000002
【特許請求の範囲】
【請求項１】
熱交換器及び送風機を収容した室内ユニット本体と、前記室内ユニット本体と組み合わされ天井に設置されて吹出口を有する化粧パネルとを備えた天井埋込型室内ユニットにおいて、
前記化粧パネルは、調温後の空気を被調和室に送る吹出口と、前記吹出口に設けられるフラップと、前記吹出口に隣接して設けられるコーナー部と、を備え、
前記コーナー部は、外面に溝部を備え、
前記溝部は、前記吹出口と連続して設けられていることを特徴とする天井埋込型室内ユニット。
【請求項２】
前記フラップと前記吹出口との間には、前記フラップが閉状態で調温後の空気を被調和室に送る間隙を備え、
前記溝部と前記間隙とは、前記フラップの閉状態で連続することを特徴とする請求項１に記載の天井埋込型室内ユニット。
【請求項３】
前記フラップは、前記フラップの長手方向に延びるフラップ間隙を備え、
前記溝部と前記フラップ間隙とは、前記フラップの閉状態で連続することを特徴とする請求項１または請求項２に記載の天井埋込型室内ユニット。
【請求項４】
前記吹出口は、前記化粧パネルの各辺に沿った位置に四方向に四箇所設けられ、
前記コーナー部は、前記化粧パネルの四隅に設けられ、
前記コーナー部の一端は、一の前記吹出口に隣接するとともに、前記コーナー部の別の一端は、別の前記吹出口に隣接し、
前記溝部は、一の前記吹出口に隣接する箇所から他の前記吹出口に隣接する箇所にかけて設けられ、
前記溝部と前記吹出口との連続は、前記化粧パネルの周方向に一周して備えられることを特徴とする請求項１乃至請求項３のいずれか一項に記載の天井埋込型室内ユニット。
【請求項５】
前記溝部は、凹凸を備えていることを特徴とする請求項１乃至請求項５のいずれか一項に記載の天井埋込型室内ユニット。
【発明の詳細な説明】
【技術分野】
【０００１】
本発明は、天井埋込型室内ユニットに関するものであり、特に、天井埋込型室内ユニットに備えられる化粧パネルに設けられるコーナーパネルに関するものである。
【背景技術】
【０００２】
従来、空気調和装置の天井埋込型室内ユニットは、室内ユニット本体と、室内ユニット本体の下側開口を覆う化粧パネルとを備えている。
この種の化粧パネルには、吹出口が備えられ、この吹出口の短辺に隣接する位置には、コーナー部が設けられている（例えば、特許文献１参照）。
【先行技術文献】
【特許文献】
【０００３】
【特許文献１】特開２０１０−２８１５３９号公報
【発明の概要】
【発明が解決しようとする課題】
【０００４】
この種の化粧パネルを備える天井埋込型室内ユニットでは、調温後の空気を被調和室に送る場合に、コーナーパネルの表面が平面状であるため、吹出口の両端部から前記室内ユニット内の熱交換器で調温された空気をコーナー部に案内することが困難であった。
本発明は、上述した事情に鑑みてなされたものであり、吹出口の両端部から吐出される空気をコーナー部に案内しやすい天井埋込型室内ユニットを提供することを目的とする。
【課題を解決するための手段】
【０００５】
上記目的を達成するために、本発明は、熱交換器及び送風機を収容した室内ユニット本体と、前記室内ユニット本体と組み合わされ天井面に設置されて吹出口を有する化粧パネルとを備えた天井埋込型室内ユニットにおいて、前記化粧パネルは、調温後の空気を被調和室に送る吹出口と、前記吹出口に設けられるフラップと、前記吹出口に隣接して設けられるコーナー部と、を備え、前記コーナー部は、外面に溝部を備え、前記溝部は、前記吹出口と連続して設けられていることを特徴とする。
【０００６】
また、本発明は、前記フラップと前記吹出口との間には、前記フラップが閉状態で調温後の空気を被調和室に送る間隙を備え、前記溝部と前記間隙とは、前記フラップの閉状態で連続することを特徴とする。
【０００７】
また、本発明は、前記フラップは、前記フラップの長手方向に延びるフラップ間隙を備え、前記溝部と前記フラップ間隙とは、前記フラップの閉状態で連続することを特徴とする。
【０００８】
また、本発明は、前記吹出口は、前記化粧パネルの各辺に沿った位置に四方向に四箇所設けられ、前記コーナー部は、前記化粧パネルの四隅に設けられ、前記コーナー部の一端は、一の前記吹出口に隣接するとともに、前記コーナー部の別の一端は、別の前記吹出口に隣接し、前記溝部は、一箇所の前記吹出口に隣接する箇所から他の前記吹出口に隣接する箇所にかけて設けられ、前記溝部と前記吹出口との連続は、前記化粧パネルの周方向に一周して備えられることを特徴とする。
【０００９】
また、本発明は、前記溝部は、凹凸を備えていることを特徴とする。
【発明の効果】
【００１０】
本発明によれば、吹出口の両端部から吐出される空気をコーナー部の溝部に導くことができるため、吹出口の両端部から吐出される空気をコーナー部に案内しやすい天井埋込型室内ユニットを提供できる。
【図面の簡単な説明】
【００１１】
【図１】本発明の実施形態に係る空気調和装置の天井埋込型室内ユニットの側部断面図である。
【図２】天井埋込型室内ユニットの斜視図である。
【図３】天井埋込型室内ユニットの化粧パネルを被調和室側から見た平面図である。
【図４】フラップを開いた状態の化粧パネルの斜視図である。
【図５】フラップを閉じた状態の化粧パネルの斜視図である。
【図６】フラップの斜視図である。
【図７】フラップを閉じた状態における図３のＡ−Ａ断面図である。
【図８】コーナーパネルの拡大平面図である。
【図９】図８のＢ−Ｂ部分の詳細図である。
【発明を実施するための形態】
【００１２】
以下、本発明の一実施の形態を、図面を参照して説明する。
図１は、本発明の実施の形態に係る空気調和装置の天井埋込型室内ユニット１０の側部断面図である。図２は、天井埋込型室内ユニット１０の斜視図である。図３は、天井埋込型室内ユニット１０の化粧パネル３３を被調和室側から見た平面図である。図４は、フラップ６０を開いた状態の化粧パネル３３の斜視図である。図５は、フラップを閉じた状態の化粧パネルの斜視図である。
なお、以下の説明において、上下、内外とは、化粧パネル３３を室内ユニット本体１４に取り付けた状態においての天井埋込型室内ユニット１０を基準として説明している。また、調温後の空気が吹出される空間を被調和室としている。
【００１３】
天井埋込型室内ユニット１０は、建屋の天井１１とこの天井１１の下方に設置された天井板１２との間の天井空間１３に設置される。この天井埋込型室内ユニット１０は、室内ユニット本体１４と、室内ユニット本体１４の下側開口を覆う化粧パネル３３とを備えている。
室内ユニット本体１４の外側角部には、吊り用金具１８が取り付けられている。室内ユニット本体１４は、吊り用金具１８に連結された吊りボルト１５で天井１１から吊り下げられた状態で設置される。この室内ユニット本体１４の内側には、発泡スチロール製の断熱部材１６が、室内ユニット本体１４の側板１７の内面に接した状態で配置され、側板１７における結露を防止している。
【００１４】
室内ユニット本体１４の上板の下面には、ファンモータ２１が取り付けられており、このファンモータ２１には、ファンモータ２１の駆動により回転駆動される回転シャフト２２が下方に延在するように設けられている。この回転シャフト２２の下端部分には、遠心ファン２３が取り付けられており、このファンモータ２１と遠心ファン２３とで送風機２０を構成している。
【００１５】
遠心ファン２３は、環状の板状に形成された主板２４を備えている。主板２４の中心部分には、下方に延出する逆円錐台形状のモータ収容部２５が形成されている。
モータ収容部２５には、ファンモータ２１が収容されており、ファンモータ２１の回転シャフト２２は、下方に延在しモータ収容部２５の底面に連結されている。そして、ファンモータ２１を回転駆動させることにより、回転シャフト２２を介して遠心ファン２３を回転動作させるように構成されている。
【００１６】
主板２４の下方には、シュラウド２６が設けられており、シュラウド２６は、周面が弧状に形成された環状に形成されている。主板２４とシュラウド２６の内周面との間には、周方向に所定間隔をもって配置される複数の翼２７が一体に形成されている。
シュラウド２６の下方には、オリフィス２８が配置されており、オリフィス２８は、周面が弧状に形成された環状に形成されている。
【００１７】
送風機２０と断熱部材１６との間には、送風機２０の側方を取り囲むように、平面視でほぼ四角形状に曲折形成された熱交換器３０が配置されている。
熱交換器３０は、冷房運転時には、冷媒の蒸発器として機能し、暖房運転時、冷媒の凝縮器として機能する熱交換器３０である。熱交換器３０は、室内ユニット本体１４の内部に吸い込まれる室内の空気と冷媒との熱交換を行って、冷房運転時には、空調室内の空気を冷却し、暖房運転時には、室内の空気を加熱することができるように構成されている。
【００１８】
熱交換器３０の下側には、熱交換器３０の下面に対応するようにドレンパン３１が配置されている。このドレンパン３１は、熱交換器３０で発生するドレン水を受けるためのものである。ドレンパン３１の中央部分には、送風機２０の吸い込み口３２が形成されている。
【００１９】
室内ユニット本体１４の下面には、図１および図２に示すように、室内ユニット本体１４の下側開口を覆うように、ほぼ四角形状の化粧パネル３３が取り付けられている。
化粧パネル３３のパネル本体４０の中央部分には、ドレンパン３１の吸い込み口３２に連通するパネル本体４０の吸い込み口３４が形成されている。パネル本体４０の吸い込み口３４部分には、パネル本体４０の吸い込み口３４を覆う吸い込みグリル３５が着脱可能に取り付けられている。吸い込みグリル３５の室内ユニット本体１４側には、空気中の塵などを除去するためのフィルタ３６が設けられている。
【００２０】
パネル本体４０の吸い込み口３４の外側であってパネル本体４０の各辺に沿った位置には、調温後の空気を被調和室に送る吹出口３７がそれぞれ形成されている。この吹出口３７は、略矩形に形成されている。吹出口３７には、図７に示すように、外端部３７Ａおよび内端部３７Ｂが形成されている。外端部３７Ａは吹出口３７の上方から下方に向かいながら外側に湾曲するよう形成されている。内端部３７Ｂは、吹出口３７の外側に向かいながら下方に湾曲するよう形成されている。
また、この四方向への吹出口３７には、図２から図５に示すように、吹出方向を変更するフラップ６０がそれぞれ設けられている。
【００２１】
図６は、フラップ６０の斜視図である。また、図７は、フラップを閉じた状態における図３のＡ−Ａ断面図である。
フラップ６０は、図３に示すように、略矩形に構成されている。フラップ６０は、第１の案内部材７０と、第２の案内部材８０と、第１の案内部材７０と第２の案内部材８０とを連結する接続部材９０とで構成されている。
第１の案内部材７０は、空調後に室内ユニット本体１４から吹出される空気を案内する内面７０Ｂと、内面７０Ｂの逆の面である外面７０Ａとを有している。内面７０Ｂおよび外面７０Ａは、平坦面とされている。内面７０Ｂに断熱材は設けられていない。
第２の案内部材８０は、空調後に室内ユニット本体１４から吹出される空気を案内する内面８０Ｂと、内面８０Ｂの逆の面である外面４３Ｂとを有している。内面８０Ｂおよび外面４３Ｂは、平坦面とされている。
【００２２】
第１の案内部材７０は、基部７１と、屈曲部７３と、基部７１から屈曲部７３を介して形成される案内部７５とで形成されている。案内部７５は、図７に示すように、屈曲部７３により基部７１から内面７０Ｂ方向に略３０度屈曲して形成されている。
【００２３】
屈曲部７３の内面７０Ｂには、凸部７４が設けられている。この凸部７４は、回動軸６１が形成されている。回動軸６１は、第１の案内部材７０の長辺方向にわたって凸部７４に軸通されている。
案内部７５の短辺方向の長さは、基部７１の短辺方向の長さの略３倍程度に形成されている。
回動軸６１の一方は、コーナーパネル４２の裏側に設けられる不図示の軸受材の軸受部により軸支されている。また、回動軸６１の他方は、コーナーパネル４２の裏側に設けられる不図示の駆動用モータに連結されている。
【００２４】
図３に示すように、第１の案内部材７０の内面７０Ｂであり、第１の案内部材７０の長辺方向の中央部には、中央支持部材７７が設けられている。この中央支持部材７７は、吹出口３７の長辺方向の中央部から延出して設けられた軸支部材３９により軸支されることで、フラップ６０の中央部分を回転自在に支持している。また、中央支持部材７７は、軸支部材３９により軸支されることで、第１の案内部材７０のたわみを防止している。
【００２５】
基部７１の後端には、外面７０Ａから直交する方向に延出する接続部材９０が一体に設けられている。この接続部材９０は、第１の案内部材７０と第２の案内部材８０とを連結する部材であり、第１の案内部材７０の外面７０Ａおよび第２の案内部材８０の内面８０Ｂと一体形成されている。接続部材９０は、基部７１の長辺方向に所定の間隔で複数形成されており、本実施の形態では８箇所形成されている。接続部材９０は、第２の案内部材８０のたわみを防止している。
【００２６】
第１の案内部材７０の屈曲部７３と第２の案内部材８０の外端９９との間には、フラップ間隙Ｓ１が設けられている。このフラップ間隙Ｓ１は、図７に示すように、室内ユニット本体１４から吹出される調温後の空気を通過させる。このフラップ間隙Ｓ１は、調温後の空気を通過させることのできる間隔であればよい。
フラップ間隙Ｓ１は、第１の案内部材７０と第２の案内部材８０との間に備えられ、フラップ６０の長手方向に延びている。
【００２７】
第２の案内部材８０の長辺方向の長さは、第１の案内部材７０の長辺方向の長さと略等しく構成されている。また、第１の案内部材７０の長辺方向の左右端と第２の案内部材８０の長辺方向の左右端とは、図５に示すように、略一致するよう重ねて設けられている。
【００２８】
第２の案内部材８０の短辺方向の長さは、第１の案内部材７０の短辺方向の長さよりも短く構成されている。第２の案内部材８０の短辺方向の長さは、基部７１の短辺方向の長さと同程度に構成されている。
この第２の案内部材８０の短辺方向の長さは、室内ユニット本体１４から吹出される空気を整流することのできる長さで構成されている。第２の案内部材８０の短辺方向の長さは、室内ユニット本体１４から吹出される空気を整流することのできる長さであれば、適宜に変更が可能である。
例えば、第２の案内部材８０の短辺方向の長さは基部７１の短辺方向の長さをこえて案内部７５の方向に長く形成してもよい。
【００２９】
図７に示すようにフラップ６０を閉じた状態を閉状態とすると、フラップ６０は、閉状態において、第１の案内部材７０の内端１１２の位置と第２の案内部材８０の外端９９の位置が、上下方向で略等しくなるように構成されている。第２の案内部材８０の内端１０４の位置は、第１の案内部材７０の内端１１２の位置よりも後ろに位置している。
【００３０】
また、フラップ６０の閉状態では、第２の案内部材８０の内端１０４と吹出口３７の内端１０１との間には、間隙Ｓ２が設けられている。この間隙Ｓ２を設けることで、フラップ６０に第２の案内部材を備えても、フラップ６０の開閉に支障をきたすことがない。また、間隙Ｓ２からは、調温後の空気が被調和室に通過する。
間隙Ｓ２は、フラップ６０の長辺方向に沿って備えられている。
【００３１】
図８は、コーナーパネルの拡大平面図である。
図２から図５に示すように、吹出口３７の左右両端には、コーナー部としてのコーナーパネル４２がそれぞれ設けられている。このコーナーパネル４２は、化粧パネル３３の四隅に設けられている。コーナーパネル４２は、吸い込みグリル３５の角部の形状に合わせて凹む凹部４３を備えている。この凹部４３を挟む２辺であるコーナー部の一端としての隣接辺４４は、コーナーパネル４２をパネル本体４０に取り付けた場合に吹出口３７の短辺に隣接するよう構成されている。
【００３２】
コーナーパネル４２の外面４２Ａには、化粧パネル３３の内側に向けて略直角に形成される溝部としての第１の溝部１００と、第１の溝部１００の周方向外側に形成され、第１の溝部１００と同様に化粧パネル３３の内側に向けて略直角に形成される溝部としての第２の溝部１１０と、が形成されている。
【００３３】
第１の溝部１００の外端１０３から第２の溝部１１０の内端１１１にかけては、被調和室側に向けて下り傾斜する第１の傾斜部１０６が形成されている。第２の溝部１１０の外端１１３から化粧パネル３３の外側方向にかけては、被調和室側に向けて下り傾斜する第２の傾斜部１１６が形成されている。
【００３４】
第１の傾斜部１０６の隣接辺４４方向の長さは、第２の案内部材８０の短辺方向の長さと略等しく形成されている。フラップ６０を閉じた状態で、第１の傾斜部１０６は、第２の案内部材８０の外面８０Ａと、吹出口３７の長辺方向に略連続した傾斜面を備えて形成されている。
吹出口３７の長辺方向に延びる間隙Ｓ２と第１の溝部１００とは、吹出口３７の長辺方向に連続して形成されている。また、フラップ間隙Ｓ１と第２の溝部１１０とは、吹出口３７の長辺方向に連続して形成されている。
また、第２の傾斜部１１６は、フラップ６０を閉じた状態で、第１の案内部材７０の基部７１の外面７０Ａと、吹出口３７の長辺方向に略連続した傾斜面を備えて形成されている。
【００３５】
第１の溝部１００の内端９８は、吹出口３７の内端１０１と、吹出口３７の長辺方向に略連続して形成されている。また、第１の溝部１００の外端１０３は、第２の案内部材８０の内端１０４と、吹出口３７の長辺方向に略連続して形成されている。
第１の溝部１００は、コーナーパネル４２の一の隣接辺４４で間隙Ｓ２と連続し、化粧パネル３３の内側に向けて略直角に形成される角部１０５を有し、コーナーパネル４２の他の隣接辺４４で別の吹出口３７に設けられる間隙Ｓ２と連続している。
このように、第１の溝部１００と間隙Ｓ２とは、化粧パネル３３の周方向に一周して連続している。
【００３６】
第２の溝部１１０の内端１１１は、第２の案内部材８０の外端９９と、吹出口３７の長辺方向に連続して形成されている。また、第２の溝部１１０の外端１１３は、第１の案内部材７０の屈曲部７３と、吹出口３７の長辺方向に略連続して形成されている。
第２の溝部１１０は、コーナーパネル４２の一の隣接辺４４でフラップ間隙Ｓ１と連続し、化粧パネル３３の内側に向けて略直角に形成される角部１１５を有し、コーナーパネル４２の他の隣接辺４４で別の吹出口３７に設けられるフラップ間隙Ｓ１と連続している。
このように、第２の溝部１１０と吹出口３７に設けられるフラップ間隙Ｓ１とは、化粧パネル３３の周方向に一周して連続している。
【００３７】
図９は、図８のＢ−Ｂ部分の詳細図である。
図９に示すように、第１の溝部１００には、凹凸１０７が周方向に沿って形成されている。この凹凸１０７は、凹部１０８と凸部１０９とで形成されている。凹凸１０７は、化粧パネル３３の外側に向かうにつれて天井側に上昇するよう複数形成されている。
なお、この凹凸１０７の数は適宜に変更が可能である。
【００３８】
第２の溝部１１０には、凹凸１１７が周方向に沿って形成されている。この凹凸１１７は、凹部１１８と凸部１１９とで形成されている。凹凸１１７は、化粧パネル３３の外側に向かうにつれて天井側に上昇するよう複数形成されている。
なお、この凹凸１１７の数は適宜に変更が可能である。
【００３９】
次に、本実施形態の作用について説明する。
送風機２０によって、被調和室の空気が吸い込み口３４から吸い込まれると、フィルタ３６を通過した後に熱交換器３０を通過して熱交換され、吹出口３７から調温後の空気が被調和室に送られる。
このとき、吹出口３７から被調和室に調温後の空気が吹出される際に、吹出口３７の長辺方向に第１の溝部１００および第２の溝部１１０が形成されているため、調温後の空気が第１の溝部１００および第２の溝部１１０の方向にも流れる。
第１の溝部１００および第２の溝部１１０の方向に流れた調温後の空気は、凹凸１０７、凹凸１１７を通過し、天井埋込型室内ユニット１０の周方向に流れる。
【００４０】
以上説明したように、本実施の形態によれば、化粧パネル３３は、室内ユニット本体１４内の熱交換器３０で調温（冷却もしくは加熱）された空気を被調和室に送る吹出口３７と、吹出口３７に設けられるフラップ６０と、吹出口３７に隣接して設けられるコーナーパネル４２（コーナー部）と、を備え、コーナーパネル４２は、外面４２Ａに第１の溝部１００（溝部）および第２の溝部１１０（溝部）を備え、第１の溝部１００および第２の溝部１１０は、吹出口３７と連続して設けた。
吹出口３７の両端部から吐出される空気をコーナーパネル４２の第１の溝部１００および第２の溝部１１０に導くことができるため、吹出口３７の両端部から吐出される空気をコーナーパネル４２に案内しやすい天井埋込型室内ユニットを提供できる。
【００４１】
また、本実施の形態によれば、フラップ６０と吹出口３７との間には、フラップ６０が閉状態で調温後の空気を被調和室に送る間隙Ｓ２を備え、第１の溝部１００と間隙Ｓ２とは、フラップ６０の閉状態で連続するよう構成した。
この構成によれば、フラップ６０の閉状態で吹出口３７から空気を吹出す場合に、フラップ６０と吹出口の内端との間隙Ｓ２から吹出す空気を第１の溝部１００に導くことができる。フラップ６０と吹出口の内端との間にできる間隙から吐出される空気をコーナーパネル４２に案内しやすい天井埋込型室内ユニットを提供できる。
【００４２】
また、本実施の形態によれば、フラップ６０は、フラップ６０の長手方向に延びるフラップ間隙Ｓ１を備え、第２の溝部１１０とフラップ間隙Ｓ１とは、フラップの閉状態で連続するよう構成した。
この構成によれば、フラップ６０の閉状態で吹出口３７から空気を吹出す場合に、フラップ６０を２段の案内部材で構成し、この２段の案内部材の間に生じるフラップ間隙Ｓ１から吹出す空気を第１の溝部１００に導くことができる。フラップの案内部材を２段に構成した場合にも、フラップ６０の閉状態で調温後の空気をコーナーパネル４２に案内しやすい天井埋込型室内ユニットを提供できる。
なお、フラップ６０を複数段の案内部材で構成した場合には、各案内部材間に備えられる間隙と吹出口３７の長辺方向に連続する各溝部をコーナーパネルに設けてもよい。
【００４３】
また、本実施の形態によれば、吹出口３７は、化粧パネル３３の各辺に沿った位置に四方向に４箇所設けられ、コーナーパネル４２は、化粧パネル３３の四隅に設けられ、コーナーパネル４２の一の隣接辺４４（コーナー部の一端）は、一の吹出口３７に隣接するとともに、コーナーパネル４２の他の隣接辺４４（コーナー部の他の一端）は、他の吹出口３７に隣接している。そして、第１の溝部１００および第２の溝部１１０は、一の隣接辺４４から他の隣接辺４４にかけて設けられている。加えて、第１の溝部１００および第２の溝部１１０と吹出口３７との連続は、化粧パネル３３の周方向に連続して備えられる。
この構成によれば、第１の溝部１００および第２の溝部１１０の方向に吐出される空気を、天井埋込型室内ユニット１０の周方向全体に流すことができ、循環させることができる。空気を循環させることができるため、第１の溝部１００および第２の溝部１１０により結露が発生しにくい。
【００４４】
また、本実施の形態によれば、第１の溝部１００および第２の溝部１１０は、凹凸を備えせ構成した。
この構成によれば、第１の溝部１００および第２の溝部１１０に吹出口３７の両端部から吐出される空気が導かれた場合にも、凹凸１０７および凹凸１１７に空気が流れ、第１の溝部１００および第２の溝部１１０が結露しにくい。
【００４５】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００４６】
例えば、本実施の形態では、コーナー部をコーナーパネル４２として着脱自在に構成したが、必ずしもコーナー部は着脱自在でなくともよい。
【符号の説明】
【００４７】
１０  天井埋込型室内ユニット
２０  送風機
３０  熱交換器
３３  化粧パネル
３７  吹出口
４０  パネル本体
４２  コーナーパネル（コーナー部）
４２Ａ  外面
４３  凹部
４４  隣接辺（コーナー部の一端）
６０  フラップ
７０  第１の案内部材
７０Ａ  外面
７０Ｂ  内面
７１  基部
７３  屈曲部
７５  案内部
８０  第２の案内部材
８０Ａ  外面
８０Ｂ  内面
１００  第１の溝部（溝部）
１０１  第１の溝部の内端
１０２  吹出口の内端
１０３  第１の溝部の外端
１０４  第２の案内部材の後端
１０５  角部
１０６  第２の案内部材の前端
１０７  凹凸
１０９  第１の傾斜部
１１０  第２の溝部（溝部）
１１１  第２の溝部の内端
１１３  第２の溝部の外端
１１５  角部
１１７  凹凸
１１９  第２の傾斜部
Ｓ１  フラップ間隙
Ｓ２  間隙
【図１】
2017067387.tif 000003
【図２】
2017067387.tif 000004
【図３】
2017067387.tif 000005
【図４】
2017067387.tif 000006
【図５】
2017067387.tif 000007
【図６】
2017067387.tif 000008
【図７】
2017067387.tif 000009
【図８】
2017067387.tif 000010
【図９】
2017067387.tif 000011